【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
マンノースとガラクトースの平均比が少なくとも５：１であるカチオン性修飾および両親媒性修飾したガラクトマンナンであって、前記ガラクトマンナン上に存在するヒドロキシル基の水素原子の一部が、以下の通り、式（Ｉ）で表される少なくとも１つのカチオン性部分および式（ＩＩ）で表される少なくとも１つの両親媒性部分で置換されている、カチオン性修飾および両親媒性修飾したガラクトマンナン：
【化２３】
2014523456.tif 000001
（式中、Ａは、独立して、二価の、直鎖または分枝の、置換または非置換のＣ１〜Ｃ６アルキレン基から選択され、置換されている場合、前記置換基は、独立して、ヒドロキシルおよびハロから選択され、Ｒは、独立して、−Ｓ＋Ｒ３Ｒ４Ｘ−、−Ｎ＋Ｒ３Ｒ４Ｒ５Ｘ−、および−Ｐ＋Ｒ３Ｒ４Ｒ５Ｘ−（式中、Ｒ３およびＲ４、ならびにＲ５は、独立して、水素、ならびに直鎖および分枝のＣ１〜Ｃ２４アルキルから選択され、Ｘ−はアニオンを表す）から選択され、（Ｒ１−Ｏ）ｃは、オキシアルキレン単位のホモポリマー、ランダムコポリマーまたはブロックコポリマーとして配置されたオキシアルキレン部分またはポリオキシアルキレン部分を表し、Ｒ１は、独立して、直鎖および分枝のＣ２Ｈ４、Ｃ３Ｈ６、およびＣ４Ｈ８の二価のアルキレン基から選択され、ｃは、２〜２５０の範囲の整数であり、Ｒ２は、独立して、６〜３５個の炭素原子を有する炭化水素基から選択され、ａは０または１であり、ｂは０または１であるが、ただし、ａが０である場合、ｂもまた０であることを条件とする）。
【請求項２】
前記二価のアルキレン基Ａが、式：
【化２４】
2014523456.tif 000002
で表される、請求項１に記載のカチオン性修飾および両親媒性修飾したガラクトマンナン。
【請求項３】
Ｒ２が、８〜３０個の炭素原子を有する、環状、または飽和もしくは不飽和の、直鎖もしくは分枝の炭化水素基から選択される、請求項１に記載のカチオン性修飾および両親媒性修飾したガラクトマンナン。
【請求項４】
前記炭化水素基Ｒ２が、シクロアルキル、直鎖または分枝のアルキル、シクロアルケニル、直鎖または分枝のアルケニル、アリール、アルキルアリール、アルケニルアリール、およびこれらの組合せから選択され、ｃが、２〜１５０の範囲の整数である、請求項３に記載のカチオン性修飾および両親媒性修飾したガラクトマンナン。
【請求項５】
前記炭化水素基Ｒ２が、置換または非置換のＣ６〜Ｃ８シクロアルキル、Ｃ６〜Ｃ８シクロアルケニル、直鎖または分枝のＣ６〜Ｃ３５アルキル、直鎖または分枝のＣ６〜Ｃ３５アルケニル、Ｃ６〜Ｃ１４アリール、（Ｃ１〜Ｃ２２）アルキル置換基で置換されている（Ｃ６〜Ｃ１０）アリール、（Ｃ３〜Ｃ２２）アルケニルで置換されている（Ｃ６〜Ｃ１０）アリール、およびこれらの組合せから選択され、（Ｒ１−Ｏ）ｃが、オキシアルキレン単位のホモポリマー、ランダムコポリマーまたはブロックコポリマーとして配置されたポリオキシアルキレン部分を表し、Ｒ１が、独立して、直鎖および分枝のＣ２Ｈ４、Ｃ３Ｈ６、およびＣ４Ｈ８の二価のアルキレン基から選択される、請求項１に記載のカチオン性修飾および両親媒性修飾したガラクトマンナン。
【請求項６】
−ＡＲが、構造：
【化２５】
2014523456.tif 000003
（式中、Ｒ３、Ｒ４、およびＲ５、およびＸは、すでに定義した通りである）で表される、請求項２に記載のカチオン性修飾および両親媒性修飾したガラクトマンナン。
【請求項７】
Ｘが、クロリドアニオン、ブロミドアニオン、ヨージドアニオン、スルフェートアニオン、メチルスルフェートアニオン、スルホネートアニオン、ニトレートアニオン、ホスフェートアニオン、およびアセテートアニオンから選択される、請求項６に記載のカチオン性修飾および両親媒性修飾したガラクトマンナン。
【請求項８】
ａ）請求項１から７のいずれかに記載のカチオン性修飾および両親媒性修飾したガラクトマンナンと、
ｂ）界面活性剤、ヘアおよびスキンコンディショニング剤、皮膚軟化剤、乳化剤、レオロジー改変剤、増粘剤、ビタミン、発毛促進剤、セルフタンニング剤、サンスクリーン、スキンライトナー、アンチエイジング化合物、しわ取り化合物、抗セルライト化合物、抗にきび化合物、フケ防止剤、抗炎症化合物、鎮痛剤、制汗剤、防臭剤、毛髪固定剤、微粒子、研磨剤、保湿剤、抗酸化剤、角質溶解剤、帯電防止剤、起泡力増進剤、ヒドロトロープ、溶解補助剤、キレート剤、抗菌剤、抗真菌剤、ｐＨ調整剤、キレート剤、緩衝剤、植物性薬品、毛染め剤、酸化剤、還元剤、ヘアブリーチおよびスキンブリーチ剤、顔料、う食予防剤、抗歯石剤、抗プラーク剤、溶媒ならびにこれらの組合せから選択される少なくとも１つの構成成分と
を含む組成物。
【請求項９】
ａ）請求項１から７のいずれかに記載のカチオン性修飾および両親媒性修飾したガラクトマンナンと、
ｂ）アニオン性界面活性剤、カチオン性界面活性剤、両性界面活性剤、非イオン性界面活性剤およびこれらの組合せから選択される界面活性剤と
を含む洗浄性組成物。
【請求項１０】
コンディショニング剤をさらに含む、請求項９に記載の洗浄性組成物。
【請求項１１】
ａ）請求項１から７のいずれかに記載のカチオン性修飾および両親媒性修飾したガラクトマンナンと、
ｂ）レオロジー改変剤、界面活性剤、補助固定剤、溶媒、水、コンディショナー、噴霧剤、中和剤、芳香剤、芳香溶解剤、増粘剤、保存剤、乳化剤、皮膚軟化剤、湿潤剤、着色剤、ワックス、およびこれらの混合物から選択される構成成分と
を含む毛髪固定剤組成物。
【請求項１２】
前記カチオン性修飾および両親媒性修飾したガラクトマンナンのマンノースとガラクトースの平均比が、５：１〜４９：１、５：１〜２５：１、５：１〜１０：１の範囲であるか、または前記カチオン性修飾および両親媒性修飾したガラクトマンナンのマンノースとガラクトースの平均比が、５：１、６：１、７：１、８：１、あるいは９：１である、請求項１から１１のいずれかに記載の組成物。
【請求項１３】
カチオン性置換度が、０．２５〜２、０．３〜１．７５、または０．５〜１．５の範囲である、請求項１から１１のいずれかに記載の組成物。
【請求項１４】
両親媒性置換度が、０．００００１〜１．２５、０．０００１〜１、または０．００１〜０．７５の範囲である、請求項１から１３のいずれかに記載の組成物。
【請求項１５】
式（ＩＩ）のｃが、２〜１５０、５〜１００、または１０〜５０の範囲である、請求項１から１４のいずれかに記載の組成物。
【手続補正２】
【補正対象書類名】明細書
【補正対象項目名】００１０
【補正方法】変更
【補正の内容】
【００１０】
本発明は、例えば、以下を提供する：
（項目１）
マンノースとガラクトースの平均比が少なくとも５：１であるカチオン性修飾および両親媒性修飾したガラクトマンナンであって、前記ガラクトマンナン上に存在するヒドロキシル基の水素原子の一部が、以下の通り、式（Ｉ）で表される少なくとも１つのカチオン性部分および式（ＩＩ）で表される少なくとも１つの両親媒性部分で置換されている、カチオン性修飾および両親媒性修飾したガラクトマンナン：
【化２３】
2014523456.tif 000004
（式中、Ａは、独立して、二価の、直鎖または分枝の、置換または非置換のＣ１〜Ｃ６アルキレン基から選択され、置換されている場合、前記置換基は、独立して、ヒドロキシルおよびハロから選択され、Ｒは、独立して、−Ｓ＋Ｒ３Ｒ４Ｘ−、−Ｎ＋Ｒ３Ｒ４Ｒ５Ｘ−、および−Ｐ＋Ｒ３Ｒ４Ｒ５Ｘ−（式中、Ｒ３およびＲ４、ならびにＲ５は、独立して、水素、ならびに直鎖および分枝のＣ１〜Ｃ２４アルキルから選択され、Ｘ−はアニオンを表す）から選択され、（Ｒ１−Ｏ）ｃは、オキシアルキレン単位のホモポリマー、ランダムコポリマーまたはブロックコポリマーとして配置されたオキシアルキレン部分またはポリオキシアルキレン部分を表し、Ｒ１は、独立して、直鎖および分枝のＣ２Ｈ４、Ｃ３Ｈ６、およびＣ４Ｈ８の二価のアルキレン基から選択され、ｃは、約１〜約２５０の範囲の整数であり、Ｒ２は、独立して、約６〜約３５個の炭素原子を有する炭化水素基から選択され、ａは０または１であり、ｂは０または１であるが、ただし、ａが０である場合、ｂもまた０であることを条件とする）。
（項目２）
前記二価のアルキレン基Ａが、式：
【化２４】
2014523456.tif 000005
で表される、項目１に記載のカチオン性修飾および両親媒性修飾したガラクトマンナン。
（項目３）
Ｒ２が、約８〜約３０個の炭素原子を有する、環状、または飽和もしくは不飽和の、直鎖もしくは分枝の炭化水素基から選択され、ｃが、約２〜約２５０の範囲の整数である、項目１に記載のカチオン性修飾および両親媒性修飾したガラクトマンナン。
（項目４）
前記炭化水素基Ｒ２が、シクロアルキル、直鎖または分枝のアルキル、シクロアルケニル、直鎖または分枝のアルケニル、アリール、アルキルアリール、アルケニルアリール、およびこれらの組合せから選択され、ｃが、約２〜約１５０の範囲の整数である、項目３に記載のカチオン性修飾および両親媒性修飾したガラクトマンナン。
（項目５）
前記炭化水素基Ｒ２が、置換または非置換のＣ６〜Ｃ８シクロアルキル、Ｃ６〜Ｃ８シクロアルケニル、直鎖または分枝のＣ６〜Ｃ３５アルキル、直鎖または分枝のＣ６〜Ｃ３５アルケニル、Ｃ６〜Ｃ１４アリール、（Ｃ１〜Ｃ２２）アルキル置換基で置換されている（Ｃ６〜Ｃ１０）アリール、（Ｃ３〜Ｃ２２）アルケニルで置換されている（Ｃ６〜Ｃ１０）アリール、およびこれらの組合せから選択され、（Ｒ１−Ｏ）ｃが、オキシアルキレン単位のホモポリマー、ランダムコポリマーまたはブロックコポリマーとして配置されたポリオキシアルキレン部分を表し、Ｒ１が、独立して、直鎖および分枝のＣ２Ｈ４、Ｃ３Ｈ６、およびＣ４Ｈ８の二価のアルキレン基から選択され、ｃが、約２〜約２５０の範囲の整数である、項目１に記載のカチオン性修飾および両親媒性修飾したガラクトマンナン。
（項目６）
−ＡＲが、構造：
【化２５】
2014523456.tif 000006
（式中、Ｒ３、Ｒ４、およびＲ５、およびＸは、すでに定義した通りである）で表される、項目２に記載のカチオン性修飾および両親媒性修飾したガラクトマンナン。
（項目７）
Ｘが、クロリドアニオン、ブロミドアニオン、ヨージドアニオン、スルフェートアニオン、メチルスルフェートアニオン、スルホネートアニオン、ニトレートアニオン、ホスフェートアニオン、およびアセテートアニオンから選択される、項目６に記載のカチオン性修飾および両親媒性修飾したガラクトマンナン。
（項目８）
ａ）項目１から７のいずれかに記載のカチオン性修飾および両親媒性修飾したガラクトマンナンと、
ｂ）界面活性剤、ヘアおよびスキンコンディショニング剤、皮膚軟化剤、乳化剤、レオロジー改変剤、増粘剤、ビタミン、発毛促進剤、セルフタンニング剤、サンスクリーン、スキンライトナー、アンチエイジング化合物、しわ取り化合物、抗セルライト化合物、抗にきび化合物、フケ防止剤、抗炎症化合物、鎮痛剤、制汗剤、防臭剤、毛髪固定剤、微粒子、研磨剤、保湿剤、抗酸化剤、角質溶解剤、帯電防止剤、起泡力増進剤、ヒドロトロープ、溶解補助剤、キレート剤、抗菌剤、抗真菌剤、ｐＨ調整剤、キレート剤、緩衝剤、植物性薬品、毛染め剤、酸化剤、還元剤、ヘアブリーチおよびスキンブリーチ剤、顔料、う食予防剤、抗歯石剤、抗プラーク剤、溶媒ならびにこれらの組合せから選択される少なくとも１つの構成成分と
を含む組成物。
（項目９）
ａ）項目１から７のいずれかに記載のカチオン性修飾および両親媒性修飾したガラクトマンナンと、
ｂ）アニオン性界面活性剤、カチオン性界面活性剤、両性界面活性剤、非イオン性界面活性剤およびこれらの組合せから選択される界面活性剤と
を含む洗浄性組成物。
（項目１０）
コンディショニング剤をさらに含む、項目９に記載の洗浄性組成物。
（項目１１）
前記コンディショニング剤が、シリコーン、有機コンディショニング油、天然および合成ワックス、カチオン性ポリマー、ならびにこれらの組合せから選択される、項目１０に記載の洗浄性組成物。
（項目１２）
前記シリコーンが、シリコーン流体、シリコーン油、カチオン性シリコーン、シリコーンガム、高屈折率シリコーン、シリコーン樹脂、乳化シリコーン、ジメチコンコポリオールおよびこれらの組合せから選択される、項目１１に記載の洗浄性組成物。
（項目１３）
前記カチオン性ポリマーが、クオタニウムアンモニウム化合物から選択される、項目１１に記載の洗浄性組成物。
（項目１４）
ａ）項目１から７のいずれかに記載のカチオン性修飾および両親媒性修飾したガラクトマンナンと、
ｂ）レオロジー改変剤、界面活性剤、補助固定剤、溶媒、水、コンディショナー、噴霧剤、中和剤、芳香剤、芳香溶解剤、増粘剤、保存剤、乳化剤、皮膚軟化剤、湿潤剤、着色剤、ワックス、およびこれらの混合物から選択される構成成分と
を含む毛髪固定剤組成物。
（項目１５）
前記コンディショナーが、シリコーン、カチオン性ポリマー、およびこれらの組合せから選択される、項目１４に記載の毛髪固定剤組成物。
（項目１６）
前記溶媒が、水、Ｃ１〜Ｃ６アルコール、ケトン、エーテル、およびこれらの組合せから選択される、項目１４に記載の毛髪固定剤組成物。
（項目１７）
前記カチオン性ポリマーが、ポリクオタニウム化合物である、項目１５に記載の毛髪固定剤組成物。
（項目１８）
前記噴霧剤が、プロパン、ブタン、イソブテン、ジメチルエーテル、１，１−ジフルオロエタン、二酸化炭素、およびこれらの混合物から選択される、項目１４に記載の毛髪固定剤組成物。
（項目１９）
前記カチオン性修飾および両親媒性修飾したガラクトマンナンのマンノースとガラクトースの平均比が、約５：１〜約４９：１の範囲である、項目１から１８のいずれかに記載の組成物。
（項目２０）
前記カチオン性修飾および両親媒性修飾したガラクトマンナンのマンノースとガラクトースの平均比が、約５：１〜約２５：１の範囲である、項目１から１８のいずれかに記載の組成物。
（項目２１）
前記カチオン性修飾および両親媒性修飾したガラクトマンナンのマンノースとガラクトースの平均比が、約５：１〜約１０：１の範囲である、項目１から１８のいずれかに記載の組成物。
（項目２２）
前記カチオン性修飾および両親媒性修飾したガラクトマンナンのマンノースとガラクトースの平均比が、約５：１から、６：１、７：１、８：１、９：１、およびこれらの混合である、項目１から１８のいずれかに記載の組成物。
（項目２３）
前記カチオン性修飾および両親媒性修飾したガラクトマンナン中のガラクトースの重量が、前記ガラクトマンナンの重量に基づき、約２重量％〜約１７重量％の範囲である、項目１から１８のいずれかに記載の組成物。
（項目２４）
カチオン性置換度が、約０．２５〜約２の範囲である、項目１から１８のいずれかに記載の組成物。
（項目２５）
カチオン性置換度が、約０．３〜約１．７５の範囲である、項目１から１８のいずれかに記載の組成物。
（項目２６）
カチオン性置換度が、約０．５〜約１．５の範囲である、項目１から１８のいずれかに記載の組成物。
（項目２７）
両親媒性置換度が、約０．００００１〜約１．２５の範囲である、項目１から２６のいずれかに記載の組成物。
（項目２８）
両親媒性置換度が、約０．０００１〜約１の範囲である、項目１から２７のいずれかに記載の組成物。
（項目２９）
両親媒性置換度が、約０．００１〜約０．７５の範囲である、項目１から２８のいずれかに記載の組成物。
（項目３０）
式（ＩＩ）のｃが、約２〜約１５０の範囲である、項目１から２９のいずれかに記載の組成物。
（項目３１）
式（ＩＩ）のｃが、約５〜約１００の範囲である、項目１から３０のいずれかに記載の組成物。
（項目３２）
式（ＩＩ）のｃが、約１０〜約５０の範囲である、項目１から３１のいずれかに記載の組成物。
（項目３３）
前記ガラクトマンナンが、Ｃａｓｓｉａ  ｔｏｒａ、Ｃａｓｓｉａ  ｏｂｔｕｓｉｆｏｌｉａ、およびこれらの混合物から選択される種の胚乳から得られる、項目１から３２のいずれかに記載の組成物。
本発明は、マンノースとガラクトースの平均比が少なくとも５：１であるカチオン性修飾および両親媒性修飾したガラクトマンナンであって、ガラクトマンナン上に存在するヒドロキシル基の水素原子の一部またはすべてが、独立して、以下の式（Ｉ）で表される少なくとも１つのカチオン性部分および式（ＩＩ）に記載のような少なくとも１つの両親媒性部分で置換されている、カチオン性修飾および両親媒性修飾したガラクトマンナンに関連する